(57)【要約】【課題】  鳥の飛来防止機能の高い鳥類飛来防止装置を提供する。【解決手段】基台２に支持体３を横架状に設けて、この支持体３に、ボス部４ａの外周に複数の突起１３を放射状に突設してなるユニット体４の複数を支持させている。ユニット体４は、支持体３上で各個に軽快、円滑に回転しうる。【選択図】        図１
2005034080.tif 000002
【特許請求の範囲】
【請求項１】
基台により横架状に設けられる支持体と、ボス部の外周に複数の突起を放射状に突設してなるユニット体とを備え、前記ユニット体の複数が前記支持体に各個回転可能に装着されていることを特徴とする鳥類飛来防止装置。
【請求項２】
請求項１記載の鳥類飛来防止装置において、
前記支持体上で隣接する前記ユニット体の間、もしくは前記ユニット体と前記基台との間にスペーサカラーが介在されている鳥類飛来防止装置。
【請求項３】
請求項１または２記載の鳥類飛来防止装置において、
前記ユニット体の軸方向長さが、前記突起の先端の回動軌跡の直径よりも短く設定されている鳥類飛来防止装置。
【請求項４】
請求項１ないし３のいずれかに記載の鳥類飛来防止装置において、
前記ユニット体の一部もしくは全部を回転駆動する駆動機構を備えている鳥類飛来防止装置。
【発明の詳細な説明】
【技術分野】
【０００１】
本発明は、鳩や烏のような野生の鳥類の飛来を防止する装置に関する。
【背景技術】
【０００２】
近年、飛来してきた野鳥による糞害が増えてきている。この糞害により、施設の美観が損なわれたり、糞を媒介として、オーム病、クリプトコックス病、ニューカッスル病等の病気が発生する問題がある。そのため、鳥の飛来を防止するために種々の装置が提案されている。
【０００３】
代表的な鳥類飛来防止装置としては、多数の針状突起を植設した細長い基板を、鳥の止まりやすい箇所、例えば構造物の梁、ベランダのフェンス、手すり、あるいは屋根などに取付けるようにしたものが知られている。
【０００４】
また、外周部に針状突起を放射状に突設した二つ割りのカバー筒体を、電線に回転自在に外嵌装着して、鳥が止まろうとして針状突起に触れると、カバー筒体が回転することで、鳥が止まることができなくするよう構成したものも提案されている（特許文献１参照）。
【特許文献１】特開平１１−１１３１４４号公報
【発明の開示】
【発明が解決しようとする課題】
【０００５】
前記したように、基板に多数の針状突起を植設した装置では、長く使用するうちに針状突起の隙間に塵、羽毛、糞などが溜まって飛来防止効果が薄れ、再び鳥が止まりだすことがあり、比較的短期間の間に掃除あるいは取替えなどの管理を要求されるものである。
【０００６】
これに対して、針状突起付きのカバー筒体を電線に回転自在に装着する後者の装置は、カバー筒体が回転するので、鳥を驚かし威嚇する効果と、止まろうとしても滑り落ちる効果のために飛来防止機能を発揮するものであり、かつ、前者の装置のように付着物によって飛来防止機能が低下することがないものと推察される。
【０００７】
しかし、前記の装置では、カバー筒体が比較的に長いものであるために、回転摩擦抵抗が大きく、一羽程度が止まっただけではうまく回転せず、威嚇効果、滑り落ち効果が十分発揮されなくなるおそれがあった。
【０００８】
また、前記のようなカバー筒体は、比較的長尺であるため、設置場所によっては、カバー筒体を切断して使用する必要が生じることがあり、施工性に問題がある。しかも、カバー筒体は、製造の面では、針状突起と一体に一度に成形することが困難で、押出し成形によりカバー筒体の本体部分を成形した上で、この本体部分の外周面に、別に成形した針状突起を１本１本植え込んで、針状突起付きのカバー筒体を造る必要があり、製造コストが嵩むという問題がある。
【０００９】
本発明は、上記の問題点の少なくとも１つを解決することを課題とする。
【課題を解決するための手段】
【００１０】
本発明は、基台により横架状に設けられる支持体と、ボス部の外周に複数の突起を放射状に突設してなるユニット体とを備え、前記ユニット体の複数が前記支持体に各個回転可能に装着されている鳥類飛来防止装置を構成している。
【００１１】
上記の構成において、支持体は直線状の軸体、棒体に限らず、湾曲もしくは屈曲している軸体、棒体でもよく、また、基台間に張設されるワイヤであってもよい。各ユニット体の突起は、先端ほど細くなる針状突起のほか、先端で枝分かれしたものでもよく、その形状は特に限定されない。
【００１２】
上記の構成によると、ユニット体それぞれの支持体に対する回転摩擦抵抗が小さく、鳥が止まろうとした個所のユニット体だけが円滑、軽快に回転する。また、支持体が中途部で湾曲もしくは屈曲していても、その曲がり部分にユニット体のボス部が引っ掛かることが少なく、湾曲もしくは屈曲している支持体を使用することができる。さらに、支持体上に並列するユニットの数を設定することで、装置全体の長さを変えられる。
【００１３】
本発明の一実施態様として、支持体上で互いに隣接する前記ユニット体の間、もしくはユニット体と基台との間にスペーサカラーが介在されている場合がある。この構成によると、スペーサカラーは隣り合うユニット体の間や、基台との間で、滑り軸受のように作用し、各ユニット体は独立してより回転しやすくなる。
【００１４】
このほか、支持体が中途部で湾曲もしくは屈曲している場合、その湾曲もしくは屈曲の個所にユニット体が隣り合って設けられていると、ユニット体の間で突起どうしが互いに干渉するおそれがあるが、ユニット体間にスペーサカラーが介在することで、前記の突起どうしの干渉が回避される。また、スペーサカラーの介在数やスペーサカラー各個の長さを変えることで、ユニット体間の間隔を長くし、突起間の軸方向間隔を広げることができる。突起間の軸方向間隔が広がると、鳥類が引っ掛かるような事態が生じない。
【００１５】
本発明の他の実施態様として、ユニット体の軸方向長さをユニット体の突起の先端の回動軌跡の直径よりも短く設定されている場合がある。この構成によると、一つのユニット体自体は軸方向長さが比較的短いものになる。このため、各ユニット体は、成形型による成形で、ボス部と突起とを有する形に一度に成形される。
【００１６】
また、本発明のさらに他の実施態様として、ユニット体の一部もしくは全部を回転駆動する駆動機構を備えている構成とする場合がある。この構成によると、突起を有するユニット体が強制的に回転駆動されることで、鳥を驚かし威嚇する効果が一層高いものとなる。駆動機構は、鳥の飛来や停留が検出された時だけ作動させるようにしてもよいし、鳥が飛来する時間帯にだけ作動させるようにしてもよい。
【発明の効果】
【００１７】
本発明によれば、各個に回転しやすいユニット体により、確実な飛来防止機能を発揮する。しかも、各ユニット体は、飛来する鳥類や風により、回ったり揺れたりするので、塵埃の溜まることが少なく、特別な維持管理を要することなく長期間使用しうる。
【００１８】
また、設置範囲が広ければ、ユニット体の数を増やせばよく、設置場所が直線状でなく、例えば、平面的に見て湾曲もしくは屈曲しているベランダの手すりなどにおいては、湾曲もしくは屈曲した支持体を使用すればよく、設置場所の状況に容易に適応させることができ、施工性に優れたものとなっている。
【００１９】
ユニット体の軸方向長さが短い場合は、ボス部と突起とを一度に成形することができ、ユニット体自体の製造が容易で、コストの削減が可能となるばかりか、管理および運搬がしやすく、取扱い性に優れている。
【発明を実施するための最良の形態】
【００２０】
以下、本発明に係る鳥類飛来防止装置を、ベランダの手すりに装着した場合について、その一実施例を図１ないし図４に基づいて説明する。図１は、鳥類飛来防止装置の一部を切欠いた側面図、図２は、図１の装置の一部であるユニット体の側面図、図３は、図１の装置の要部の分解斜視図、図４は、図１の装置の他の一部である基台の正面図である。
【００２１】
この実施形態の鳥類飛来防止装置は、ベランダの手すり１に適当間隔をもって装着固定される複数の基台２，２と、これら基台２，２間にわたって横架支承される支持体３と、この支持体３に回転可能に遊嵌装着される複数のユニット体４，４…と、隣り合うユニット体４，４の間やユニット体４と基台２との間に介在されるスペーサカラー５と、手すり１に装着固定される前記支持体３回転駆動用の駆動機構６等によって構成されている。
【００２２】
基台２は、樹脂もしくは金属で造られたもので、その下端には取付け金具７がねじ止めされている。この取付け金具７を手すり１の上に跨らせた状態で、取付け金具７に挿通装着したバンド８を締め上げることで、手すり１の任意の箇所に基台２が起立姿勢に固定されている。
【００２３】
また、この基台２の上部には軸受部２ａが設けられ、この軸受部２ａに中間支軸１０が回転自在に貫通支承されている。また、軸受部２ａより上部には先細りの突起１１が上方に向けて突設されている。
【００２４】
支持体３は、筒軸３ａの端部に中実軸からなる軸端部３ｂを打ち込み固定して構成されたものであり、この軸端部３ｂが前記中間支軸１０の端部にばねジョイント１２を介して屈曲自在に連結されている。
【００２５】
スペーサカラー５は、樹脂製の筒体で、隣り合うユニット体４，４の間では、支持体３の外周に遊嵌されており、ユニット体４と基台２との間では、ばねジョイント１２の周りに遊嵌されている。
【００２６】
ユニット体４は全体が樹脂成形されたものであり、同一仕様のものが、基台２，２間の支持体３に複数個設けられている。このユニット体４の中心に設けられた短筒状のボス部４ａの外周には、先細り状に形成された３本の突起１３，…が１２０°の角度位相をもって放射状に一体突設されている。このユニット体４の軸方向長さＷ、より正確にはボス部４ａの軸方向長さは、支持体３の長さや、基台２，２間の間隔に比べ短いことが望ましく、この実施形態では、突起１３の先端の回動軌跡の直径Ｒ（図２に図示）よりも短く（Ｗ＜Ｒ）、かつ図１に図示の通り、突起１３の根元部の広がりと同じ長さとしている。
【００２７】
駆動機構６は、固定のケース１５内に、減速機付きの電動モータ１６を横向きに内装して構成したものである。ケース１５は、基台２と同様に、取付け金具７およびバンド８を介して手すり１に装着固定されている。電動モータ１６の出力回転軸１６ａは、基台２の軸受部２ａに支承されている中間支軸１０とばねジョイント１２で連結され、出力回転軸１６ａの回転に伴い、支持体３を低速で回転駆動するよう構成されている。
【００２８】
ここで、支持体３とユニット体４との間では、図２に示すように、ユニット体４におけるボス部４ａの内径が、支持体３の外径よりも若干大きく設定され、ボス部４ａの内周面における対角位置に溝１８，１８が形成されるとともに、支持体３の外周一箇所に、ボス部４ａ側の前記溝１８に嵌入し係合しうる駆動突起１７が突設されている。
【００２９】
そして、支持体３が、図２に図示の位相角度で回転を停止している状態では、ユニット体４はいずれか１本の突起１３が上向きに起立した姿勢でほぼ静止しており、支持体３側の駆動突起１７とユニット体４側の溝１８とは互いに噛み合わず、離間している。この状態では、支持体３に対してユニット体４は、回転や揺動が可能で、飛来した鳥が突起１３の先に止まろうとすると、ユニット体４は重量バランスが崩れて回転し、鳥は止まれず滑り落ちることになる。
【００３０】
次に、駆動機構６が起動されて支持体３が回転し始めると、駆動突起１７が溝１８に係合し、その時点から、ユニット体４は強制的に回転駆動され、適当角度回転されて溝１８が駆動突起１７から離脱すると、ユニット体４の強制回転駆動は解除される。このようにしてユニット体４は支持体３の連続回転に応じて間欠的に回転駆動される。
【００３１】
なお、駆動突起１７が上向きになった状態で駆動機構６が停止されると、駆動突起１７が溝１８に係合した状態でユニット体４が停止して、以後ユニット体４が自由回転できなくなる状態がもたらされる可能性がある。そのため、駆動停止指令が出された際には、駆動突起１７が下向きになった位相で出力回転軸１６ａの回転を停止するよう制御することが望ましい。
【００３２】
駆動機構６は、使用者のスイッチ操作により、駆動されるものであってもよいが、赤外線センサ等の感熱センサ、光センサ、超音波センサ、振動を感知する圧電センサ等により、鳥類の飛来や停留を検出して、その検出に応答して、駆動されるものであってもよい。このほか、特定の鳥の習性に対応して、一定の時間帯にタイマーにより駆動されるようにしてもよい。
【００３３】
スペーサカラー５は、図１中に示すように、基台２と駆動機構６との間で、基台２に固定したブッシュ１９と、ケース１５に装着固定したブッシュ２０とにわたって遊嵌されている。
【００３４】
この実施形態の鳥類飛来防止装置は、鳥が止まろうとすると、ユニット体４が回転することで、鳥が止まれなくする装置としても、ユニット体４を強制的に回転させることで、鳥の飛来を防止する装置としても使用しうる。
【００３５】
次に、図５ないし図７に基づいて、本発明の他の実施形態に係る鳥類飛来防止装置を説明する。図５は、他の実施形態に係る鳥類飛来防止装置の一部を切欠いた側面図、図６は、図５の装置の要部の分解斜視図、図７は、図５の装置の一部構成を変更した場合の側面図である。
【００３６】
この実施形態の鳥類飛来防止装置は、基本的には、図１の装置と同様に、手すり１に装着固定される複数の基台２，２と、これら基台２，２間にわたって横架支承される支持体３と、この支持体３に回転可能に遊嵌装着される複数のユニット体４と、隣り合うユニット体４，４の間や、基台２とこれに隣り合うユニット体４との間に介在されるスペーサカラー５と、手すり１に装着固定される前記支持体３回転駆動用の駆動機構６等によって構成されている。
【００３７】
この実施形態においては、ユニット体４のボス部４ａの形状と、スペーサカラー５の形状が図１の場合と異なる。すなわち、ユニット体４のボス部４ａの両端には波形の噛合い係合部２１が形成されており、スペーサカラー５の両端にも同様の噛合い係合部２２が形成されている。そして、ボス部４ａの噛合い係合部２１がスペーサカラー５の噛合い係合部２２と軸方向に噛合い係合することで、全部のユニット体４がスペーサカラー５を介して一体に回転するよう構成されている。
【００３８】
一方、駆動機構６の出力回転軸１６ａに、外周部に噛合い係合部２５を備えた駆動カプラ２６が固着されるとともに、基台２の中間支軸１０の一端には、駆動カプラ２６の噛合い係合部２５に軸方向から噛合い係合する噛合い係合部２７を備えた従動カプラ２８が固着されており、もって、駆動機構６によって中間支軸１０が回転駆動されるようになっている。
【００３９】
そして、中間支軸１０にはスペーサ兼用の中間カプラ２３が固着されている。この中間カプラ２３は、その端部外周に噛合い係合部２４を有する。中間カプラ２３には、筒軸のみからなる支持体３が軸方向の差し込みにより連結されるとともに、外周側で噛合い係合部２４がユニット体４のボス部４ａにある噛合い係合部２１と噛合い係合している。
【００４０】
このように、駆動機構６の出力回転軸１６ａは、中間支軸１０、この中間支軸１０のユニット体４側にある中間カプラ２３を介して、基台２に隣り合うユニット体４に連動連結しており、しかも、支持体３上のユニット体４はすべてスペーサカラー５を介して一体に回転するようになっているから、駆動機構６の駆動により、全部のユニット体４が一体に回転する。
【００４１】
駆動機構６は、図１の装置におけるのと同様に、赤外線センサや超音波センサ等により、鳥類の飛来や停留を検出し、その検出に応答して駆動されるものであってもよいし、一定の時間帯にタイマーにより駆動されるものであってもよい。
【００４２】
また、上記構成の鳥類飛来防止装置は、その構成を一部を変更することで、各ユニット体４が各個に回転、揺動しうるようにできる。すなわち、図７に示すように、前記スペーサカラー５を、両端に噛合い係合部２２を備えない単純な両切りのものに交換するとともに、中間カプラ２３も噛合い係合部２４を備えない筒体２９と交換することで、各ユニット体４は独立して遊転可能な状態になる。なお、この場合、駆動機構６と中間支軸１０との連動、または中間支軸１０と基台２寄りのユニット体４との連動を遮断するか、駆動機構６自体を取り外しておけばよい。
【００４３】
図７に示すように、ユニット体４が各個に遊転可能な状態にあれば、飛来した鳥が突起１３の先に止まろうとしても、ユニット体４は重量バランスが崩れて回転するので、鳥を驚かすことになり、鳥の飛来や停留を防止する。
【図面の簡単な説明】
【００４４】
【図１】本発明の一実施形態に係る鳥類飛来防止装置の一部を切欠いた側面図。
【図２】図１の装置の一部であるユニット体の側面図。
【図３】図１の装置の要部の分解斜視図。
【図４】図１の装置の他の一部である基台の正面図。
【図５】本発明の他の実施形態に係る鳥類飛来防止装置の一部を切欠いた側面図。
【図６】図５の装置の要部の分解斜視図。
【図７】図５の装置の一部構成を変更した場合の側面図。
【符号の説明】
【００４５】
２          基台
３          支持体
４          ユニット体
４ａ        ボス部
５          スペーサカラー
６          駆動機構
１３        突起
【図１】
2005034080.tif 000003
【図２】
2005034080.tif 000004
【図３】
2005034080.tif 000005
【図４】
2005034080.tif 000006
【図５】
2005034080.tif 000007
【図６】
2005034080.tif 000008
【図７】
2005034080.tif 000009